(57)【特許請求の範囲】
【請求項１】
天井（C）に設置され、室内空間（S）へ調和空気を吹き出す空気調和装置の室内ユニットであって、
吹出口（26）が形成される化粧パネル（22）と、
回動軸（51）と、風向調節羽根（53）と、該風向調節羽根（53）の幅方向両端の間の中間部と上記回動軸（51）とを連結する支持部材（52）とを有し、上記吹出口（26）から吹き出される調和空気の風向を調節する風向調節機構（50）とを備え、
上記化粧パネル（22）は、
上記吹出口（26）の内周側に配置され、該吹出口（26）に面する内側通路面（63）を形成する内パネル部（22a）と、
上記吹出口（26）の外周側に配置され、該吹出口（26）に面する外側通路面（64）を形成する外パネル部（22b）とを有し、
上記風向調節機構（50）の上記回動軸（51）は、上記外側通路面（64）の下端より低く、上記内側通路面（63）の下端よりも高い位置となるように構成され、
上記吹出口（26）は、該吹出口（26）の上流部を構成する上流通路（61）と、下流部を構成する下流通路（62）を含み、
上記外側通路面（64）は、上記上流通路（61）に面する側壁部（64a）と、上記下流通路（62）に面するとともに該側壁部（64a）の下端から外周側に向かって斜め下方に傾斜する内傾斜部（64b）とを含み、
上記風向調節羽根（53）は、上記吹出口（26）の外周側の方向に延びる延出部（56）を有し、
上記外パネル部（22b）は、上記内傾斜部（64b）の下端から外周側に向かって斜め上方に延びる外傾斜部（65）を有し、
水平吹き動作では、上記風向調節羽根（53）の上記延出部（56）の水平面に対する角度θ１が、上記内傾斜部（64b）の水平面に対する角度θ３以下であり、且つ上記風向調節羽根（53）の上記延出部（56）の先端が上記側壁部（64a）に沿った鉛直面ａ１よりも外周側に位置し、且つ上記角度θ１が、上記外傾斜部（65）の水平面に対する角度θ２以上であるように上記風向調節羽根（53）の位置を固定する
ことを特徴とする空気調和装置の室内ユニット。
【請求項２】
請求項１において、
空気調和装置の停止時において、上記延出部（56）の先端（57）が上記外側通路面（64）の下端よりも外周側に位置している
ことを特徴とする空気調和装置の室内ユニット。
【請求項３】
請求項２において、
上記風向調節羽根（53）は、
上記空気調和装置の運転時において、上記延出部（56）の先端（57）が上記外側通路面（64）の下端よりも内周側に位置している
ことを特徴とする空気調和装置の室内ユニット。
【請求項４】
請求項１乃至３のいずれか１つにおいて、
上記外パネル部（22b）の下面には、結露水を保持するパネル側の溝（66）が形成され、
上記風向調節羽根（53）の下面には、結露水を保持する羽根側の溝（58）が形成され、
水平吹き動作時には、上記パネル側の溝（66）が露出され、
上記空気調和装置の停止時には、上記パネル側の溝（66）が上記風向調節羽根（53）によって覆われるとともに、上記羽根側の溝（58）が上記パネル側の溝（66）と鉛直方向にオーバーラップする
ことを特徴とする空気調和装置の室内ユニット。
【発明の詳細な説明】
【技術分野】
【０００１】
本発明は、空気調和装置の室内ユニットに関する。
【背景技術】
【０００２】
従来より、特許文献１に開示されるような、空気調和装置の室内ユニットが知られている。室内ユニットは、天井付近に設置される。室内ユニットは、加熱され又は冷却された空気を調和空気として室内空間へ吹き出す。
【先行技術文献】
【特許文献】
【０００３】
【特許文献１】特開２０１５−０９４４７３号公報
【発明の概要】
【発明が解決しようとする課題】
【０００４】
上述したような室内ユニットは、複数の吹出口を備えており、これらの吹出口から空気を吹き出す。例えば冷却された空気が、在室者に直接当たり続けると、在室者が不快感を覚えるおそれがある。
【０００５】
本発明はかかる点に鑑みてなされたものであり、その目的は、吹出口から吹き出された空気が在室者に直接当たることを回避できる空気調和装置の室内ユニットを提供することである。
【課題を解決するための手段】
【０００６】
第１の発明は、天井（C）に設置され、室内空間（S）へ調和空気を吹き出す空気調和装置の室内ユニットを対象とし、吹出口（26）が形成される化粧パネル（22）と、回動軸（51）と、風向調節羽根（53）と、該風向調節羽根（53）の幅方向両端の間の中間部と上記回動軸（51）とを連結する支持部材（52）とを有し、上記吹出口（26）から吹き出される調和空気の風向を調節する風向調節機構（50）とを備え、化粧パネル（22）は、吹出口（26）の内周側に配置され、該吹出口（26）に面する内側通路面（63）を形成する内パネル部（22a）と、上記吹出口（26）の外周側に配置され、該吹出口（26）に面する外側通路面（64）を形成する外パネル部（22b）とを有し、上記風向調節機構（50）の上記回動軸（51）は、上記外側通路面（64）の下端より低く、上記内側通路面（63）の下端よりも高い位置となるように構成され、上記吹出口（26）は、該吹出口（26）の上流部を構成する上流通路（61）と、下流部を構成する下流通路（62）を含み、上記外側通路面（64）は、上記上流通路（61）に面する側壁部（64a）と、上記下流通路（62）に面するとともに該側壁部（64a）の下端から外周側に向かって斜め下方に傾斜する内傾斜部（64b）とを含み、上記風向調節羽根（53）は、上記吹出口（26）の外周側の方向に延びる延出部（56）を有し、上記外パネル部（22b）は、上記内傾斜部（64b）の下端から外周側に向かって斜め上方に延びる外傾斜部（65）を有し、水平吹き動作では、上記風向調節羽根（53）の上記延出部（56）の水平面に対する角度θ１が、上記内傾斜部（64b）の水平面に対する角度θ３以下であり、且つ上記風向調節羽根（53）の上記延出部（56）の先端が上記側壁部（64a）に沿った鉛直面ａ１よりも外周側に位置し、且つ上記角度θ１が、上記外傾斜部（65）の水平面に対する角度θ２以上であるように上記風向調節羽根（53）の位置を固定することを特徴とする。
【０００７】
第１の発明では、風向調節機構（50）の回動軸（51）が、外パネル部（22b）の外側通路面（64）の下端よりも低い位置となる。これにより、吹出口（26）に対する風向調節羽根（53）の相対的な位置も低くなる。この結果、風向調節羽根（53）と外パネル部（22b）との間には、空気を外周側へと案内する流路を十分確保できる。従って、吹出気流の水平方向の速度成分が大きくなり、在室者に直接当たる気流が形成されることを回避できる。
【０００８】
第２の発明は、第１の発明において、空気調和装置の停止時において、上記延出部（56）の先端（57）が上記外側通路面（64）の下端よりも外周側に位置していることを特徴とする。
【０００９】
第２の発明では、空気調和装置の停止時において、風向調節羽根（53）の延出部（56）の先端（57）が吹出口（26）よりも外周側に位置する。これにより空気調和装置の停止時には、吹出口（26）の開口面を風向調節羽根（53）によって確実に覆うことができる。
【００１０】
第３の発明は、第２の発明において、上記風向調節羽根（53）は、上記空気調和装置の運転時において、上記延出部（56）の先端（57）が上記外側通路面（64）の下端よりも内周側に位置していることを特徴とする。
【００１１】
第３の発明では、水平吹き動作において、風向調節羽根（53）の延出部（56）の先端（57）が、外側通路面（64）の下端よりも外周側まで延びない。延出部（56）の先端（57）を延ばしすぎると、延出部（56）の上側を流れる空気が、化粧パネル（22）の表面を伝って天井（C）側へ導かれるおそれがある。この場合、水平吹き動作において、吹出気流が天井（C）の表面を連続的に流れ、天井（C）が汚れてしまう不具合が生じる。これに対し、本発明では、延出部（56）の先端（57）が外側通路面（64）の下端よりも内周側に位置する。従って、吹出気流が天井（C）側へ導かれるのを回避できる。
【００１２】
加えて、回動軸（51）を外側通路面（64）の下方へ配置することで、化粧パネル（22）に対して延出部（56）が相対的に低い位置となる。従って、延出部（56）の上側を流れる空気が化粧パネル（22）の表面を伝ってしまうことを回避でき、天井汚れを効果的に回避できる。
【００１３】
第４の発明は、第１乃至第３のいずれか１つの発明において、上記外パネル部（22b）の下面には、結露水を保持するパネル側の溝（66）が形成され、上記風向調節羽根（53）の下面には、結露水を保持する羽根側の溝（58）が形成され、水平吹き動作時には、上記パネル側の溝（66）が露出され、上記空気調和装置の停止時には、上記パネル側の溝（66）が上記風向調節羽根（53）によって覆われるとともに、上記羽根側の溝（58）が上記パネル側の溝（66）と鉛直方向にオーバーラップすることを特徴とする。
【００１４】
第４の発明では、外パネル部（22b）の下面に溝（66）が形成される。このため、外パネル部（22b）の表面で結露水が発生した際、この結露水をパネル側の溝（66）の内部に表面張力によって保持できる。また、風向調節羽根（53）の下面に溝（58）が形成される。このため、風向調節羽根（53）の表面で結露水が発生した際、この結露水を羽根側の溝（58）の内部に表面張力によって保持できる。
【００１５】
水平吹き動作時には、パネル側の溝（66）が露出される。このため、在室者が化粧パネル（22）を見たときには、パネル側の溝（66）が視認されることになる。一方、空気調和装置の停止時には、風向調節羽根（53）がパネル側の溝（66）を覆う位置となる。このとき、羽根側の溝（58）は、パネル側の溝（66）と鉛直方向にオーバーラップする。このため、空気調和装置の停止と水平吹き動作とを相互に切り換えたとしても、在室者が視認する溝（58,66）の位置が大きく変化することがない。
【発明の効果】
【００１６】
本発明では、風向調節機構（50）の回動軸（51）を外側通路面（64）の下端よりも低く、且つ内側通路面（63）の下端よりも高くしている。これにより、風向調節羽根（53）と外パネル部（22b）の間に十分な間隔を確保でき、吹出気流を水平方向へ案内できる。この結果、吹出気流が在室者に直接あたることを回避でき、在室者の快適性を向上できる。
【００１７】
風向調節羽根（53）を吹出口（26）に対して下方寄りに配置したいのであれば、支持部材（52）を比較的長くすることも考えられる。しかし、支持部材（52）を長くすると、風向調節羽根（53）を変位させる際、風向調節羽根（53）の角度が大きく変化してしまう。この結果、風向調節羽根（53）が外パネル部（22b）や内パネル部（22a）と干渉し易くなる。これに対し、本発明のように、回動軸（51）を下げるようにすると、支持部材（52）を長くせずとも、風向調節羽根（53）の位置を低く設定できる。従って、風向調節羽根（53）が他の部材と干渉してしまうことを回避しつつ、空気を水平方向に案内できる。
【００１８】
第２の発明によれば、空気調和装置の停止時において、風向調節羽根（53）によって吹出口（26）の全体を覆うことができる。これにより、在室者に対する室内ユニットの美観を向上できる。
【００１９】
第３の発明によれば、水平吹き動作時において、吹出気流が天井（C）側へ導かれることを回避でき、天井（C）の汚れを回避できる。
【００２０】
第４の発明では、外パネル部（22b）と風向調節羽根（53）との双方にそれぞれ溝（58,66）を形成することで、外パネル部（22b）や風向調節羽根（53）の表面で生じた結露水が下方へ滴下することを抑制できる。
【００２１】
また、空気調和装置の停止と水平吹き動作とを切り換えてもで、在室者の視認する溝（58,66）の位置がほとんど変化しない。このため、このような切り換えに伴い在室者が違和感を覚えることを回避でき、美観を向上できる。
【図面の簡単な説明】
【００２２】
【図１】図１は、実施形態の室内ユニットを斜め下方から見た斜視図である。
【図２】図２は、ケーシング本体の天板を省略した室内ユニットの概略の平面図である。
【図３】図３は、図２のIII−Ｏ−III断面を示す室内ユニットの概略の断面図である。
【図４】図４は、室内ユニットの概略の下面図である。
【図５】図５は、制御器の構成を示すブロック図である。
【図６】図６は、図４のVII-VII断面図であり、水平吹き位置にある風向調節羽根を示す。
【図７】図７は、図４のVII-VII断面図であり、下吹き位置にある風向調節羽根を示す。
【図８】図８は、図４のVII-VII断面図であり、停止位置にある風向調節羽根を示す。
【図９】図９は、実施形態に係る風向調節羽根の調節可能な位置を模式的に表した図である。
【発明を実施するための形態】
【００２３】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００２４】
〈室内ユニットの構成〉
図１に示すように、本実施形態の室内ユニット（10）は、いわゆる天井埋込型に構成されている。この室内ユニット（10）は、図外の室外ユニットと共に空気調和装置を構成する。空気調和装置では、室内ユニット（10）と室外ユニットを連絡配管で接続することによって、冷媒が循環して冷凍サイクルを行う冷媒回路が形成されている。
【００２５】
図２及び図３に示すように、室内ユニット（10）は、ケーシング（20）と、室内ファン（31）と、室内熱交換器（32）と、ドレンパン（33）と、ベルマウス（36）と、制御器（90）とを備えている。
【００２６】
〔ケーシング〕
ケーシング（20）は、室内空間（S）の天井（C）に設置されている。ケーシング（20）は、ケーシング本体（21）と化粧パネル（22）とによって構成されている。このケーシング（20）には、室内ファン（31）と、室内熱交換器（32）と、ドレンパン（33）と、ベルマウス（36）とが収容されている。
【００２７】
ケーシング本体（21）は、室内空間（S）の天井（C）に形成された開口に挿入されて配置されている。ケーシング本体（21）は、下面が開口する概ね直方体状の箱形に形成されている。このケーシング本体（21）は、概ね平板状の天板（21a）と、天板（21a）の周縁部から下方に延びる側板（21b）とを有している。
【００２８】
〔室内ファン〕
図３に示すように、室内ファン（31）は、下方から吸い込んだ空気を径方向の外側に向けて吹き出す遠心送風機である。室内ファン（31）は、ケーシング本体（21）の内部中央に配置されている。室内ファン（31）は、室内ファンモータ（31a）によって駆動される。室内ファンモータ（31a）は、天板（21a）の中央部に固定されている。
【００２９】
〔ベルマウス〕
ベルマウス（36）は、室内ファン（31）の下方に配置されている。このベルマウス（36）は、ケーシング（20）へ流入した空気を室内ファン（31）へ案内するための部材である。ベルマウス（36）は、ドレンパン（33）と共に、ケーシング（20）の内部空間を、室内ファン（31）の吸い込み側に位置する一次空間（21c）と、室内ファン（31）の吹き出し側に位置する二次空間（21d）とに仕切っている。
【００３０】
〔室内熱交換器〕
室内熱交換器（32）は、いわゆるクロスフィン型のフィン・アンド・チューブ熱交換器である。図２に示すように、室内熱交換器（32）は、平面視でロ字状に形成され、室内ファン（31）の周囲を囲むように配置されている。つまり、室内熱交換器（32）は、二次空間（21d）に配置されている。室内熱交換器（32）は、その内側から外側へ向かって通過する空気を、冷媒回路の冷媒と熱交換させる。
【００３１】
〔ドレンパン〕
ドレンパン（33）は、いわゆる発泡スチロール製の部材である。図３に示すように、ドレンパン（33）は、ケーシング本体（21）の下端を塞ぐように配置されている。ドレンパン（33）の上面には、室内熱交換器（32）の下端に沿った水受溝（33b）が形成されている。水受溝（33b）には、室内熱交換器（32）の下端部が入り込んでいる。水受溝（33b）は、室内熱交換器（32）において生成したドレン水を受け止める。
【００３２】
図２に示すように、ドレンパン（33）には、主吹出し通路（34）と副吹出し通路（35）とが四つずつ形成されている。主吹出し通路（34）及び副吹出し通路（35）は、室内熱交換器（32）を通過した空気が流れる通路であって、ドレンパン（33）を上下方向に貫通している。主吹出し通路（34）は、断面が細長い長方形状の貫通孔である。主吹出し通路（34）は、ケーシング本体（21）の四つの辺のそれぞれに沿って一つずつ配置されている。副吹出し通路（35）は、断面がやや湾曲した矩形状の貫通孔である。副吹出し通路（35）は、ケーシング本体（21）の四つの角部のそれぞれに一つずつ配置されている。つまり、ドレンパン（33）では、その周縁に沿って、主吹出し通路（34）と副吹出し通路（35）とが交互に配置されている。
【００３３】
〔化粧パネル〕
化粧パネル（22）は、四角い厚板状に形成された樹脂製の部材である。化粧パネル（22）の下部は、ケーシング本体（21）の天板（21a）よりも一回り大きな正方形状に形成されている。この化粧パネル（22）は、ケーシング本体（21）の下面を覆うように配置されている。また、化粧パネル（22）の下面は、ケーシング（20）の下面を構成し、室内空間（S）に露出している。
【００３４】
化粧パネル（22）は、吹出口（26）の内周側に形成される内パネル部（22a）と、吹出口（26）の外周側に形成される外パネル部（22b）とを有する。内パネル部（22a）及び外パネル部（22b）は、略正方形の枠状に形成される。
【００３５】
図３及び図４に示すように、内パネル部（22a）の中央部には、正方形状の一つの吸込口（23）が形成されている。吸込口（23）は、内パネル部（22a）を上下に貫通し、ケーシング（20）内部の一次空間（21c）に連通する。ケーシング（20）へ吸い込まれる空気は、吸込口（23）を通って一次空間（21c）へ流入する。吸込口（23）には、格子状の吸込グリル（41）が設けられている。また、吸込グリル（41）の上方には、吸込フィルタ（42）が配置されている。
【００３６】
内パネル部（22a）と外パネル部（22b）との間には、概ね四角い輪状の吹出口（26）が、吸込口（23）を囲むように形成されている。図４に示すように、吹出口（26）は、四つの主吹出し開口（24）と、四つの副吹出し開口（25）とに区分されている。
【００３７】
主吹出し開口（24）は、主吹出し通路（34）の断面形状に対応した細長い開口である。主吹出し開口（24）は、化粧パネル（22）の四つの辺のそれぞれに沿って一つずつ配置されている。
【００３８】
化粧パネル（22）の主吹出し開口（24）は、ドレンパン（33）の主吹出し通路（34）と一対一に対応している。各主吹出し開口（24）は、対応する主吹出し通路（34）と連通する。
【００３９】
副吹出し開口（25）は、１／４円弧状の開口である。副吹出し開口（25）は、化粧パネル（22）の四つの角部のそれぞれに一つずつ配置されている。化粧パネル（22）の副吹出し開口（25）は、ドレンパン（33）の副吹出し通路（35）と一対一に対応している。
【００４０】
図６に示すように、主吹出し開口（24）の内部には、上流通路（61）と下流通路（62）とが形成される。
【００４１】
上流通路（61）は、主吹出し開口（24）の上流端に形成される上流部を構成する。上流通路（61）は、化粧パネル（22）を上下に貫通している。上流通路（61）の流路の幅（図６の左右方向の幅）は、上流端から下流端に亘って概ね一定である。
【００４２】
下流通路（62）は、上流通路（61）の下端と連続し、主吹出し開口（24）の下流端に形成される下流部を構成する。下流通路（62）は、上端から下端に向かうにつれて、化粧パネル（22）の外縁へ近づくように化粧パネル（22）を斜めに貫通している。下流通路（62）の流路の幅は、上流端から下流端に向かうにつれて徐々に大きくなっている。
【００４３】
図６に示すように、内パネル部（22a）の外縁には、主吹出し開口（24）に面する内側通路面（63）が形成される。内側通路面（63）は、上流通路（61）に面する第１内壁部（63a）と、下流通路（62）に面する第２内壁部（63b）とを含んでいる。第１内壁部（63a）は、略鉛直な平面状に構成される。第２内壁部（63b）は、上端から下端に向かうにつれて化粧パネル（22）の外縁に近づくような曲面状に形成されている。
【００４４】
図６に示すように、外パネル部（22b）の内縁には、主吹出し開口（24）に面する外側通路面（64）が形成される。外側通路面（64）は、上流通路（61）に面する側壁部（64a）と、下流通路（62）に面する内傾斜部（64b）とを含んでいる。側壁部（64a）は、略鉛直な平面状に構成される。内傾斜部（64b）は、側壁部（64a）の下端から、外周側に向かって斜め下方に傾斜している。側壁部（64a）に対して内傾斜部（64b）が屈曲する角度は、側壁部（64a）に対して外傾斜部（65）が屈曲する角度よりも大きい。
【００４５】
外パネル部（22b）には、室内空間（S）に面する外傾斜部（65）が形成されている。外傾斜部（65）は、内傾斜部（64b）の下端から外周側に向かって斜め上方に延びている。外傾斜部（65）の下端には、複数（本例では３つ）の溝（66）（パネル溝）が形成される。各溝（66）は、吹出口（26）の側辺に沿って延びている。各溝（66）は、外パネル部（22b）の表面で発生した結露水を表面張力によって保持する。これにより、外パネル部（22b）の表面の結露水が滴下するのを防止できる。
【００４６】
〔風向調節機構〕
風向調節機構（50）は、主吹出し開口（24）から吹き出される調和空気の気流の方向（吹出気流の方向）を調節する。風向調節機構（50）は、回動軸（51）と、支持部材（52）と、風向調節羽根（53）とを有している。回動軸（51）、支持部材（52）、及び風向調節羽根（53）は、４つの主吹出し開口（24）の各々に対応するように１つずつ設けられる。
【００４７】
回動軸（51）は、主吹出し開口（24）の側辺に沿うように、該主吹出し開口（24）の長手方向に延びている。回動軸（51）は、主吹出し開口（24）の内部（より厳密には、下流通路（62）の内部）に配置される。回動軸（51）は、駆動モータ（54）（図４を参照）によって回転駆動される。
【００４８】
支持部材（52）は、回動軸（51）と風向調節羽根（53）とを連結するアームである。
【００４９】
風向調節羽根（53）は、吹出気流の方向を上下方向に調節する。風向調節羽根（53）は、化粧パネル（22）の主吹出し開口（24）の長手方向の一端から他端に亘って延びる細長い板状に形成されている。図３に示すように、風向調節羽根（53）は、回動軸（51）まわりに回動可能に支持部材（52）に支持されている。風向調節羽根（53）は、その横断面（長手方向と直交する断面）の形状が、回動軸（51）から遠ざかる方向に凸となるように湾曲している。
【００５０】
水平吹き動作の状態（図６に示す状態）の風向調節羽根（53）は、吹出口（26）の内部に位置する部分が基部（55）を構成し、残りの部分は延出部（56）を構成している。水平吹き動作において、基部（55）は、第２内壁部（63b）に沿うような形状をしている。つまり、水平吹き動作中の基部（55）は、第２内壁部（63b）と略平行に形成されている。延出部（56）は、水平吹き動作において、吹出口（26）の下端開口面から室内空間（S）まで、吹出口（26）の外周側に向かって延出している。
【００５１】
延出部（56）の先端（57）の下部には、複数（本例では３つ）の溝（58）（羽根溝）が形成される。各溝（58）は、風向調節羽根（53）の長手方向に延びている。各溝（58）は、風向調節羽根（53）の表面で発生した結露水を表面張力によって保持する。これにより、風向調節羽根（53）の表面の結露水が滴下するのを防止できる。
【００５２】
〈制御器〉
制御器（90）は、室内ユニット（10）の動作を制御するように構成されている。図５に示すように、制御器（90）は、風向制御部（91）を備えている。風向制御部（91）は、駆動モータ（54）を作動させることによって風向調節羽根（53）の位置を制御するように構成されている。具体的に、風向制御部（91）は、空気調和装置の運転時において、水平吹出し動作の状態（図６の状態）と、下吹出し動作の状態（図７の状態）との間の回動範囲で、風向調節羽根（53）の位置（角度）を制御する。つまり、本実施形態の風向調節羽根（53）は、水平吹き動作において、空気調和装置の運転時の可動範囲の上限高さとなる。また、本実施形態の風向調節羽根（53）は、下吹出し動作において、空気調和装置の運転時の可動範囲の下限高さとなる。風向制御部（91）は、各風向調節羽根（53）の位置をそれぞれ個別に制御可能である。更に、風向制御部（91）は、空気調和装置の停止時において、風向調節羽根（53）を停止位置（図８の状態）とする。
【００５３】
図９に模式的に示すように、風向制御部（91）は、風向調節羽根（53）を少なくとも６段階の位置（Ｐ0〜Ｐ5）で調節する。Ｐ0は、風向調節羽根（53）の停止位置に対応する。Ｐ1は、風向調節羽根（53）の水平吹き動作の位置（本実施形態に係る上限高さ位置）に対応する。Ｐ5は、風向調節羽根（53）の下吹き動作の位置（下限高さ位置）に対応する。Δθは、空気調和装置の運転時における風向調節羽根の可動範囲を示す。風向調節羽根（53）は、空気調和装置の運転時において、Ｐ1とＰ2との間の３つの位置（Ｐ2、Ｐ3、及びP4）にも調節可能となっている。
【００５４】
〈風向調節羽根、及び化粧パネルの寸法関係〉
図６に示すように、外側通路面（64）の下端の高さをｈ１とし、内側通路面（63）の下端の高さをｈ２とする。側壁部（64a）に沿った鉛直面をａ１とし、内傾斜部（64b）と外傾斜部（65）との境界を通る鉛直面をａ２とする。空気調和装置が水平吹き動作を行う状態（図６の状態）において、風向調節羽根（53）の延出部（56）の上面（56a）の水平面に対する角度をθ１、外傾斜部（65）の水平面に対する角度をθ２、内傾斜部（64b）の水平面に対する角度をθ３とする。
【００５５】
空気調和装置が水平吹き動作を行う状態（図６の状態）では、風向調節羽根（53）の延出部（56）の先端（57）が次のような配置となる。延出部（56）の先端（57）は、ｈ１及びｈ２よりも低い位置となる。つまり、延出部（56）の先端（57）は、化粧パネル（22）よりも下側に位置する。延出部（56）の先端（57）は、ａ１とａ２との間に位置する。つまり、延出部（56）の先端（57）は、内傾斜部（64b）の下方に位置する。換言すると、延出部（56）の先端（57）は、外傾斜部（65）の下端よりも、吹出口（26）の内周側寄りに位置する。
【００５６】
延出部（56）が下方に傾斜する角度θ１は、外傾斜部（65）の傾斜する角度θ２より大きい。角度θ１は、内傾斜部（64b）の傾斜する角度θ３よりも小さい。角度θ３は、角度θ２よりも大きい。角度θ１は、角度θ２と同じであってもよい。角度θ１は、角度θ３と同じであってもよい。角度θ２は、角度θ３と同じであってもよい。
【００５７】
回動軸（51）の軸心Ｐは、化粧パネル（22）との位置関係が次のようになる。軸心Ｐは、ｈ１よりも低い。つまり、軸心Ｐは、外側通路面（64）の下端よりも低い位置にある。軸心Ｐは、ｈ２よりも高い。つまり、軸心Ｐは、内側通路面（63）の下端よりも高い位置にある。
【００５８】
〈空気調和装置の運転動作〉    
室内ユニット（10）の運転中には、室内ファン（31）が回転する。室内ファン（31）が回転すると、室内空間（S）の室内空気が、吸込口（23）を通ってケーシング（20）内の一次空間（21c）へ流入する。一次空間（21c）へ流入した空気は、室内ファン（31）に吸い込まれ、二次空間（21d）へ吹き出される。
【００５９】
二次空間（21d）へ流入した空気は、室内熱交換器（32）を通過する間に冷却され又は加熱され、その後に四つの主吹出し通路（34）と四つの副吹出し通路（35）へ分かれて流入する。主吹出し通路（34）へ流入した空気は、主吹出し開口（24）を通って室内空間（S）へ吹き出される。副吹出し通路（35）へ流入した空気は、副吹出し開口（25）を通って室内空間（S）へ吹き出される。
【００６０】
冷房運転中の室内ユニット（10）では、室内熱交換器（32）が蒸発器として機能し、空気が室内熱交換器（32）を通過する間に冷却される。一方、暖房運転中の室内ユニット（10）では、室内熱交換器（32）が凝縮器として機能し、空気が室内熱交換器（32）を通過する間に加熱される。
【００６１】
〈風向調節羽根の動作〉
空気調和装置の運転時には、風向調節羽根（53）が、回動軸（51）まわりに回転移動することによって、吹出気流の方向を変更する。空気調和装置の運転時の風向調節羽根（53）は、水平吹き動作中の位置（図６に示す水平吹き位置）と、下吹き動作中の位置（図７に示す下吹き位置）との間を移動可能となっている。つまり、空気調和装置の運転中の風向調節羽根（53）の可動範囲は、図６に示す水平吹き位置と図７に示す下吹き位置との間である。空気調和装置の停止時には、風向調節羽根（53）が図８に示す停止位置（閉鎖位置）となる。
【００６２】
〔水平吹き位置〕
水平吹き動作では、風向調節羽根（53）が図６に示す水平吹き位置となる。この状態では、風向調節羽根（53）の延出部（56）の先端（57）が内傾斜部（64b）の下方に位置する。つまり、水平吹き動作中の風向調節羽根（53）は、延出部（56）の先端（57）がａ１とａ２との間に位置する。
【００６３】
例えば延出部（56）の先端（57）がａ１よりも内周側（図６におけるの左側）に位置すると、主吹出し開口（24）を流出した空気を吹出口（26）の外周側へ案内し難くなる。つまり、吹出気流の水平方向の速度成分が小さくなり、空気が在室者に直接あたり易くなる。
【００６４】
また、例えば延出部（56）の先端（57）がａ２よりも外周側（図６における右側）に位置すると、延出部（56）と外傾斜部（65）との間の空気の流路が形成される。この場合、延出部（56）の上側を流れる空気は、外傾斜部（65）に沿うように斜め上方へ案内され、天井（C）の表面に到達し易くなる。従って、水平吹き動作が連続して行われることで、天井（C）面が汚れてしまうという不具合が生じる。
【００６５】
これに対し、本実施形態では、延出部（56）の先端（57）がａ１よりも外周側に位置するため、吹出気流の水平方向の速度成分が大きくなり、在室者に吹出気流が直接あたるのを回避できる。従って、在室者がドラフトを感じることを抑制できる。
【００６６】
また、延出部（56）の先端（57）がａ２よりも内周側に位置するため、吹出気流が外傾斜部（65）の表面を伝って斜め上方へ案内されることを回避できる。従って、吹出気流が天井（C）側へ導かれることも回避でき、ひいては天井（C）面の汚れを抑制できる。
【００６７】
延出部（56）の水平面に対する角度θ１は、外傾斜部（65）の水平面に対する角度θ２以上である。角度θ１が小さすぎると、延出部（56）の上側を通過する空気が、外傾斜部（65）側へ到達し易くなり、ひいては天井（C）側へ導かれ易くなる。これに対し、θ１≧θ２とすることで、吹出気流が外傾斜部（65）を伝って天井（C）側へ導かれることを確実に防止できる。
【００６８】
延出部（56）の水平面に対する角度θ１は、内傾斜部（64b）の水平面に対する角度θ３以下である。角度θ１が大きすぎると、延出部（56）の上側を通過する空気が、下方へ流れてしまい、在室者に直接あたってしまう可能性がある。これに対し、θ１≦θ３とすることで、吹出気流が在室者にあたることを確実に防止できる。
【００６９】
本実施形態では、風向調節機構（50）の回動軸（51）の軸心Ｐをｈ１とｈ２の間に位置させている。回動軸（51）の軸心Ｐ１をｈ１よりも低くすると、外パネル部（22b）と延出部（56）との間の距離をある程度確保できる。これにより、外パネル部（22b）と延出部（56）との間を流れる吹出気流を十分に確保でき、吹出気流の水平方向の速度成分を更に増大できる。従って、吹出気流が在室者に直接あたることを一層確実に防止できる。
【００７０】
延出部（56）が外傾斜部（65）に対して相対的に低い位置となることで、吹出気流が外傾斜部（65）の表面に導かれることも回避できる。従って、天井汚れの防止効果を更に向上できる。
【００７１】
回動軸（51）の軸心Ｐ１をｈ２よりも高くすることで、風向調節羽根（53）による吹出気流の案内の機能が損なわれてしまうことも回避できる。
【００７２】
〔下吹き位置〕
下吹き動作では、風向調節羽根（53）が図７に示す下吹き位置となる。この状態では、風向調節羽根（53）の延出部（56）の先端（57）がａ１よりも内周側に位置する。主吹出し開口（24）を流出した空気は、主として下方へ案内される。
【００７３】
〔停止位置〕
空気調和装置の停止時には、風向調節羽根（53）が図８に示す停止位置となる。この状態では、風向調節羽根（53）の延出部（56）の先端（57）が外傾斜部（65）の下方に位置する。これにより、主吹出し開口（24）は、風向調節羽根（53）によって完全に閉塞される。この結果、室内ユニット（10）の美観が向上する。
【００７４】
空気調和装置の停止時には、風向調節羽根（53）の羽根溝（58）が、化粧パネル（22）のパネル溝（66）と鉛直方向に概ねオーバーラップする。つまり、本実施形態の空気調和装置は、運転時に在室者が視認するパネル溝（66）の位置（図６及び図７を参照）と、停止時に在室者が視認する羽根溝（58）の位置（図８を参照）とが、化粧パネル（22）の周方向において概ね一致する。このため、空気調和装置の運転のＯＮ／ＯＦＦに伴って、在室者が視認する溝（58,66）の位置が大きく変化することがない。従って、空気調和装置のＯＮ／ＯＦＦに伴って、在室者が違和感を覚えることを抑制でき、美観を向上できる。
【００７５】
このように、風向調節羽根（53）は、主吹出し開口（24）を閉塞するまでの長さを有する。つまり、風向調節羽根（53）は、水平吹き動作において、吹出気流の水平方向の速度成分を十分大きくできる程度の長さを有している。
【００７６】
−実施形態の効果−
本実施形態では、水平吹き動作において、風向調節羽根（53）の延出部（56）の先端（57）を内傾斜部（64b）の下方に位置させたため、吹出気流を水平方向へ案内できる。この結果、吹出気流が在室者に直接あたることを回避でき、在室者の快適性を向上できる。また、このようにすると、吹出気流が天井（C）に沿って流れることも回避できるため、吹出気流により天井（C）が汚れてしまうことも防止できる。
【００７７】
空気調和装置の停止時には、風向調節羽根（53）によって吹出口（26）の全体を覆うことができる。これにより、在室者に対する室内ユニットの美観を向上できる。
【００７８】
図６に示すように、延出部（56）の角度θ１を、外傾斜部（65）の角度θ２以上で且つ内傾斜部（64b）の角度θ３以下とすることで、吹出気流が天井（C）に沿って流れることを確実に回避でき、吹出気流が在室者に直接あたることを確実に回避できる。
【００７９】
図６に示すように、回動軸（51）の軸心Ｐをｈ１より低く、且つｈ２よりも高くすることで、吹出気流が在室者に直接あたることを更に確実に回避できる。また、吹出気流が天井（C）に沿って流れることも更に確実に回避できる。
【００８０】
《その他の実施形態》
図６に示す水平吹き動作は、空気調和装置の運転時における風向調節羽根（53）の可動範囲の最大高さ位置で行われる。しかし、この可動範囲の中間位置において、水平吹き動作を行うようにしてもよい。
【００８１】
風向調節羽根（53）は、水平吹き動作において、該風向調節羽根（53）の先端（57）が外側通路面（64）の下端よりも外周側に位置する構成であってもよい。また、風向調節羽根（53）は、該風向調節羽根（53）の下端が側壁部（64a）の下端よりも内周側に位置する構成であってもよい。
【００８２】
上記各実施形態では、室内ユニット（10）は４方向に調和空気を吹き出すように構成されているが、例えば、２方向に調和空気を吹き出すように構成されていてもよいし、１方向に調和空気を吹き出すように構成されていてもよい。
【００８３】
上記各実施形態において、副吹出し開口（25）および副吹出し通路（35）を省略した構成としてもよい。
【００８４】
室内ユニット（10）は、天井付近に設置されるものであれば、如何なる形式であってもよく、例えば天井吊り下げ式であってもよい。
【産業上の利用可能性】
【００８５】
以上説明したように、本発明は、空気調和装置の室内ユニットについて有用である。
【符号の説明】
【００８６】
C      天井
S      室内空間
22     化粧パネル
22a    内パネル部
22b    外パネル部
26     吹出口
50     風向調節機構
51     回動軸
52     支持部材
53     風向調節羽根
56     延出部
57     先端
58     溝
63     内側通路面
64     外側通路面
66     溝
【図１】
0006776531.tif 000002
【図２】
0006776531.tif 000003
【図３】
0006776531.tif 000004
【図４】
0006776531.tif 000005
【図５】
0006776531.tif 000006
【図６】
0006776531.tif 000007
【図７】
0006776531.tif 000008
【図８】
0006776531.tif 000009
【図９】
0006776531.tif 000010